(57)【要約】  少なくとも２つの玩具組立要素を備える玩具組立セット。少なくとも２つの玩具組立要素のうちの１つの玩具組立要素には、第１のタイプの１つ又は複数の結合手段が設けられており、第２の玩具組立要素には、第１のタイプの結合手段に相補的であるように構成される第２のタイプの１つ又は複数の結合手段が設けられており、その結果、第１のタイプの結合手段及び第２のタイプの結合手段は相互接続されて、構造体を形成することができる。第２の玩具組立要素は、玩具組立要素に回転可能に取り付けられるフライホイール１０を備えており、フライホイールは１つ又は複数のアクチュエーター機構２１を備え、結合手段及び相補的に構成された結合手段は、第２の玩具組立要素を第１の玩具組立要素の２つ以上の異なる位置に取り付けることができるように構成される。【選択図】図１Ａ
2015514476.tif 000002
【特許請求の範囲】
【請求項１】
少なくとも２つの玩具組立要素を備える玩具組立セットにおいて、該少なくとも２つの玩具組立要素のうちの１つの玩具組立要素には、第１のタイプの１つ又は複数の結合手段が設けられており、前記第２の玩具組立要素には、前記第１のタイプの結合手段に相補的であるように構成される第２のタイプの１つ又は複数の結合手段が設けられており、その結果、前記第１のタイプの結合手段及び前記第２のタイプの結合手段は相互接続されて、構造体を形成することができる、玩具組立セットであって、前記第２の玩具組立要素は、該玩具組立要素に回転可能に取り付けられるフライホイール（１０）を備えており、該フライホイールは１つ又は複数のアクチュエーター機構（２１）を備えること、及び、前記結合手段及び前記相補的に構成された結合手段は、前記第２の玩具組立要素を前記第１の玩具組立要素の２つ以上の異なる位置に取り付けることができるように構成されることを特徴とする、玩具組立セット。
【請求項２】
１つ又は複数の玩具組立要素（２０）が、結合スタッド及び相補的な結合手段等の少なくとも２つの異なるタイプの結合手段を備えることを特徴とする、請求項１に記載の玩具組立セット。
【請求項３】
前記玩具組立要素（２０）は、接続構造部（２３）及び組立要素（２２）を備え、該接続構造部（２３）は、前記フライホイール（１０）と前記組立要素（２２）とを構造的に接続することを特徴とする、請求項１又は２に記載の玩具組立セット。
【請求項４】
前記接続構造部（２３）は、前記フライホイールの前記回転軸（２７）から前記フライホイールの前記周縁を越えて前記組立要素（２２）まで延びることを特徴とする、請求項１〜３のいずれか１項に記載の玩具組立セット。
【請求項５】
前記組立要素（２０）は面（２２）を有しており、該面は１つ又は複数の結合手段を備えることを特徴とする、請求項１〜４のいずれか１項に記載の玩具組立セット。
【請求項６】
前記フライホイール（１０）を有する前記玩具組立要素（２０）は、アクチュエーター手段（１）と係合し、それによって前記フライホイール（１０）を動かし、それによって前記フライホイールを自由に回転させるアクチュエーター機構（２１）を備えることを特徴とする、請求項１〜５のいずれか１項に記載の玩具組立セット。
【請求項７】
前記組立要素（２０）は、前記フライホイール（１０）に機能的に接続される少なくとも１つの歯車（２１）を備え、該歯車はラックと係合する手段を備え、その結果、前記歯車がラックからフライホイールに運動を伝達することができ、それによって前記フライホイール（１０）を自由に回転させることを特徴とする、請求項１〜６のいずれか１項に記載の玩具組立セット。
【請求項８】
前記組立要素の前記面（２２）の前記平面は、前記フライホイールの前記回転軸（２７）から該フライホイールの前記周縁を越える前記接続構造部の方向によって規定される方向に延びることを特徴とする、請求項１〜７のいずれか１項に記載の玩具組立セット。
【請求項９】
前記組立要素の前記面（２２）の前記平面は、前記回転可能なフライホイール（１０）の前記回転軸を通って延びる平面と平行に延びることを特徴とする、請求項１〜７のいずれか１項に記載の玩具組立セット。
【請求項１０】
前記接続構造部（２３）は、ラック（１）を歯車（２１）に当接させて位置決めする位置決め手段（２６）を備えることを特徴とする、請求項１〜９のいずれか１項に記載の玩具組立セット。
【請求項１１】
前記フライホイールは、２つの歯車（２６）に機能的に接続されることを特徴とする、請求項１〜１０のいずれか１項に記載の玩具組立セット。
【請求項１２】
前記歯車（２１）は、フライホイール（１０）に回転抵抗式に接続され、それによって、前記歯車の回転力が前記フライホイール（１０）に伝達されることを特徴とする、請求項１〜１１のいずれか１項に記載の玩具組立セット。
【請求項１３】
前記歯車（２１）及び前記フライホイール（１０）は、互いに対して確実に接続され、回動可能なシャフト上に取り付けられることを特徴とする、請求項１〜１２のいずれか１項に記載の玩具組立セット。
【請求項１４】
前記接続構造部（２３）は、前記フライホイールの前記シャフト（２７）に結合する１つ又は複数の結合手段（２９）を備えることを特徴とする、請求項１〜１３のいずれか１項に記載の玩具組立セット。
【発明の詳細な説明】
【技術分野】
【０００１】
本発明は、少なくとも２つの玩具組立要素を備える玩具組立セットであって、少なくとも２つの玩具組立要素のうちの１つの玩具組立要素には、第１のタイプの１つ又は複数の結合手段が設けられており、第２の玩具組立要素には、上記第１のタイプの結合手段に相補的であるように構成される第２のタイプの１つ又は複数の結合手段が設けられており、その結果、第１のタイプの結合手段及び第２のタイプの結合手段は相互接続されて、構造体を形成することができる、玩具組立セットに関する。
【背景技術】
【０００２】
既に、フライホイールを備える非常の多くの玩具が入手可能であり、種々のジャイロ効果を生むのに玩具のフライホイールを用いることも知られている。
【０００３】
特許文献１は、おもちゃの車であって、該おもちゃの車に対して種々のジャイロ効果を生むことが可能である、水平方向に配置されたフライホイールを備える、おもちゃの車を記載している。フライホイールが回転している間、該車は、そのリヤフェンダーの回りで旋回し、該車の車輪のうちの２つで着地し（topple）、かつ、該車が４個全ての車輪で着地して更に前進するまで二輪で前進することができる。
【０００４】
特許文献２は、自由に回転可能なフライホイールを備えるフィギュアであって、フライホイールは所定の向きを有するように該フィギュア内に取り付けられている、フィギュアを記載している。ピニオンギヤがフライホイールに保持され、ガイドポストがそのガイドポストとピニオンギヤとの間にチャネルを形成するようにピニオンギヤから或る距離をおいて位置決めされている。このチャネルを通じてラックギヤが用いられてフライホイールを回転させ、それによって該フィギュアを動かすことができる。当該の本発明の様々な実施形態では、車両は例えば、スケートボード、スクーター、自転車、又は車とすることができる。
【０００５】
特許文献３は、四輪車を示している。該車は、車輪に接続されている確実に一体化された大歯車（wheel：フライホイール）と、結合スタブとを有する。
【０００６】
しかしながら、多くの場合、変型形態の範囲を増大させることが望ましい。
【先行技術文献】
【特許文献】
【０００７】
【特許文献１】米国特許参照番号第３０２９９号
【特許文献２】米国特許第６６７６４７６号
【特許文献３】米国特許出願公開第２００５／０２１５１７２号
【発明の概要】
【発明が解決しようとする課題】
【０００８】
したがって、遊びの形態（variations）の範囲を増大させる玩具組立要素を有する玩具組立セットを提供することが本発明の目的である。
【課題を解決するための手段】
【０００９】
これは、第２の玩具組立要素が、玩具組立要素上に回転可能に取り付けられるフライホイールを備え、そのフライホイールは１つ又は複数のアクチュエーター機構を備えること、及び、結合手段及び相補的に構成された結合手段は、第２の玩具組立要素を第１の玩具組立要素の２つ以上の異なる位置に取り付けることができるように構成されることから、上述した開示によって達成される。
【００１０】
本発明の一実施形態は、結合スタッド及び相補的な結合手段等の少なくとも２つの異なるタイプの結合手段を備える１つ又は複数の玩具組立要素に関する。
【００１１】
これによって、変型形態の更なる範囲が得られる。
【００１２】
本発明の一実施形態によれば、前記玩具組立要素は、接続構造部及び組立要素を備え、該接続構造部は、前記フライホイールと前記組立要素とを構造的に接続する。
【００１３】
本発明の一実施形態によれば、前記接続構造部は、前記フライホイールの前記回転軸から前記フライホイールの前記周縁を越えて前記組立要素まで延びる。
【００１４】
本発明の一実施形態によれば、組立要素は面を有しており、該面は１つ又は複数の結合スタッド及び／又は対応する凹部を備える。これによって、組立要素を、相補的な結合手段を有する玩具組立要素と相互接続することができることが達成される。
【００１５】
これによって、玩具組立セットのフライホイールの使用形態の範囲が増大する。
【００１６】
本発明の一実施形態によれば、フライホイールを有する前記玩具組立要素は、アクチュエーター手段と係合し、それによって前記フライホイールを動かし、それによって前記フライホイールを自由に回転させる手段を備える。
【００１７】
本発明の一実施形態によれば、前記組立要素は、前記フライホイールに機能的に接続される少なくとも１つの歯車を備え、該歯車はラックと係合する手段を備え、その結果、前記歯車がラックからフライホイールに運動を伝達することができ、それによって前記フライホイールを自由に回転させる。
【００１８】
本発明の一実施形態によれば、前記組立要素の前記面の前記平面は、前記フライホイールの回転軸から該フライホイールの前記周縁を越える前記接続構造部の方向によって規定される方向に、前記回転軸から離れて延びる。
【００１９】
これによって、フライホイールは、残存する玩具組立要素に対する指向性回転軸を有しており、したがって、フライホイールは所定の向きを有することが達成される。
【００２０】
本発明の一実施形態によれば、前記組立要素の前記面の前記平面は、前記回転可能なフライホイールの前記回転軸を通って延びる平面と平行に延びる。
【００２１】
これによって、フライホイールは、残存する玩具組立要素に対する指向性回転軸を有することが達成される。
【００２２】
本発明の一実施形態によれば、前記接続構造部は、ラックを歯車に当接させて位置決めする位置決め手段を備える。
【００２３】
これによって、ラックの正確な位置が達成され、位置決め手段はまた、位置決め手段がラックの表面に逆圧を加えることから、ラック及び歯車それぞれの相補的手段が噛み合うことを確実にする。
【００２４】
本発明の一実施形態によれば、前記フライホイールは、２つの歯車に機能的に接続されることを特徴とする。
【００２５】
これによって、変形形態の範囲が大幅に増大する。
【００２６】
本発明の一実施形態によれば、前記歯車は、フライホイールに回転抵抗式に接続され、それによって、前記歯車の回転力が前記フライホイールに伝達される。
【００２７】
本発明の一実施形態によれば、前記歯車及び前記フライホイールは、互いに対して確実に接続され、回動可能なシャフト上に取り付けられる。これによって、歯車の回転力がフライホイールに直接伝達されることが達成される。
【００２８】
本発明の一実施形態によれば、前記接続構造部は、前記フライホイールの前記シャフトに結合する１つ又は複数の結合手段を備える。
【００２９】
本明細書では、用語「フライホイール」は、短期間又は長期間の回転において運動エネルギーを維持することが可能な機械的装置であるフライホイールという意味で解釈されるべきである。フライホイールは、回転体が運動しているときにその回転体の方向を変えるのに大きな力を必要とするジャイロ効果を得ることが可能である。
【００３０】
ここで、図面を参照して本発明の一実施形態を更に詳細に説明する。
【図面の簡単な説明】
【００３１】
【図１Ａ】本発明によるフライホイールを有する玩具組立要素と第２の玩具組立要素とを有する玩具組立セットの斜視図であり、この場合、２つの玩具組立要素は相互接続されていない。
【図１Ｂ】フライホイールを有する玩具組立要素及び第２の玩具組立要素が、第１の様態で結合されている、図１Ａに示されている玩具組立セットを示す図である。
【図１Ｃ】フライホイールを有する玩具組立要素及び第２の玩具組立要素が、別の様態で結合されている、図１Ａ及び図１Ｂに示されている玩具組立セットを示す図である。
【図２】アクチュエーター手段と組み合わせられた、図１Ａ〜図１Ｃ及び図２に示されているようなフライホイールを有する玩具組立要素の上面図である。
【図３】本発明による図２に示されているフライホイールを有する玩具組立要素の側面図である。
【図４】図３に示されているフライホイールを有する玩具組立要素に対して９０度回転されている、本発明によるフライホイールを有する玩具組立要素を示す図である。
【図５】本発明によるフライホイールを有する玩具組立要素の一実施形態を示す図である。
【図６】図５に示されている実施形態の側面分解図である。
【図７】図５による実施形態の斜視図である。
【図８】図５による実施形態の上面図である。
【図９】玩具組立要素の一実施形態と、小型組立要素によって玩具組立要素に取り付けることができるシェル部品との分解図である。
【図１０】本発明による玩具組立要素用の代替的に構成されたシェル部品の斜視図である。
【図１１】玩具組立要素の更なる実施形態と、図９に示されている小型組立要素とは別のタイプの小型組立要素によって玩具組立要素に取り付けることができる更に代替的に構成されたシェル部品との分解図である。
【図１２】図１１に示されている玩具組立要素の実施形態のフレームの斜視図である。
【図１３】図１１に示されているような玩具組立要素を形成するように、フライホイールを図１２に示されているフレーム上に固定する係止機構を示す図である。
【図１４】代替的に構成された第２の玩具組立要素を示す図であり、この第２の玩具組立要素は、本発明によるフライホイールを有する玩具組立要素に結合することが可能であり、かつ第２の玩具組立要素には玩具フィギュアが結合されている。
【図１５】本発明による玩具組立要素の更なる実施形態を示す図である。
【図１６】２つの異なるタイプの小型組立要素による別の玩具組立要素への結合手段を有する、本発明による玩具組立要素の更なる実施形態を示す図である。
【図１７】別の玩具組立要素、及び／又はシェル部品を結合するための代替的なタイプの小型組立要素を有する、図１１に示されているような玩具組立要素を示す図である。
【発明を実施するための形態】
【００３２】
本発明は、回転可能なフライホイール１０を有する玩具組立要素２０を備える玩具組立セットに関する。
【００３３】
図１Ａ〜図１Ｃは、フライホイール１０を備える玩具組立要素２０を示す。
【００３４】
玩具組立要素２０には１つ又は複数の結合手段２４が設けられている。１つ又は複数の結合手段２４は、相補的な結合手段を備える少なくとも１つの他の玩具組立要素４０上への玩具組立要素の取付けを可能にする。したがって、これらの玩具組立要素は、相互接続されて、玩具組立セットを構成する又はその一部をなす（partaking）ことが可能である構造体を形成することが可能である。図１Ａ〜図１Ｃに示されている例では、玩具組立要素２０は、幾つかの結合手段２４、３０を有する。玩具組立セットのこれらの玩具組立要素のうちの少なくとも１つは、幾つかの結合手段を備え、これらの玩具組立要素を幾つかの方法で相互接続することができることを確実にする。図１Ａに示されている例では、玩具組立要素２０は、組立要素結合部２２及びその上面２２’上に形成される４個のスタッドの形態の結合手段２４を備える。組立要素結合部２２の下面２２’’上には、上面２２’上のように、他の結合手段（図示せず）、例えば、スタッド３０用の凹部を設けることができる。
【００３５】
１つの実施形態によれば、玩具組立要素２０、４０は、少なくとも２つの異なるタイプの結合手段２４、例えば、結合スタッド３０と、図１５に示されているようなノブ受け凹部３１の形態の、結合スタッドをそれぞれ受ける相補的な結合手段とを備えることができる。１つの実施形態によれば、組立要素の結合部２２は、上面２２’上に構成される結合スタッド３０と下面２２’’内に構成されるノブ受け凹部３１とを有する。他の実施形態（図示せず）によれば、結合スタッド３０又はノブ受け凹部３１のいずれかを、一方又は双方の面２２’、２２’’上／内に構成することができる。他の実施形態では、他のタイプの相補的な結合手段２４を用いることができる。以下を参照されたい。
【００３６】
したがって、フライホイールを備える玩具組立要素２０を別の玩具組立要素４０の多くの異なる位置に取り付け、それによって、異なる可能な組合せ、ひいては、遊びの選択肢の増大を達成することができることが１つのオプションである。これは、図１Ａ〜図１Ｃにおいて示されており、第２の玩具組立要素４０は、図１Ａでは非結合状態で玩具組立要素２０に隣接して、図１Ｂでは１つの様態で玩具組立要素２０に結合しており、また図１Ｃでは別の様態で玩具組立要素２０に結合して示されている。図示の例では、第２の玩具組立要素４０は、一方の側面にはスタッド３０の形態の結合手段２４、及び反対側面にはノブ受け凹部（図示せず）の形態の結合手段を有する、単純な箱、又は箱型の構造体である。他の実施形態では、第２の玩具組立要素４０は、他の形状とすることができる。１つの例が図１４に示されている。
【００３７】
図１Ａ〜図１Ｃの玩具組立要素２０は、その組立要素の結合部２２が図１５に示されているノブ受け凹部３１を有するように構成されることから、玩具組立要素４０上のスタッド３０に結合することができる。
【００３８】
玩具組立要素２０はフライホイール１０を備える。フライホイールは、少なくとも１つのアクチュエーター機構２１を備える。図１に示されている例では、２つのアクチュエーター機構２１が設けられている。アクチュエーター機構２１は、フライホイール１０の各側に１つの歯車を有するように位置付けられている２つの歯車２１’として構成される。アクチュエーター機構２１は、ラック１の形態で図１に示されているアクチュエーター手段によって作動される。他の実施形態（図示せず）では、歯車２１’をフライホイール１０の片側のみに配置することができる。
【００３９】
ラック１は、グリップ／ハンドル３と、ハンドル３から延びる細長い構造部とを備える。ラック１は、細長い構造部上に形成されるとともに歯車２１’上の歯と噛み合うことが可能である歯５を備える。ハンドル３を引くと、ラック１の移動により、歯車２１’が作動し、ひいては回転させ、これによって、この回転運動がフライホイール１０に伝達される。
【００４０】
玩具組立要素２０は、接続構造部２３及び組立要素結合部２２を備える。接続構造部２３は、フライホイール１０と組立要素結合部２２とを接続し、その結果、フライホイール１０を有する組立要素２０を、例えば図１Ｂ及び図１Ｃに示されているような相補的な結合手段を有する他の組立要素に結合することが可能である。
【００４１】
接続構造部２３は、フライホイールの回転軸２５上の位置からフライホイールの周縁を越えて組立要素結合部２２まで延びる。図１Ａ〜図１Ｃ、図２〜図４、図９、図１１〜図１３、並びに図１６及び図１７に示されている実施形態では、接続構造部は、フライホイールの回転軸２５を横断する平面においてフライホイール１０の周りに延びるフレーム８０を形成する。図５〜図８、及び図１５に示されている実施形態では、接続構造部２３は、フライホイールの回転軸２５から１つの方向のみに延びる。したがって、図１５の実施形態では、接続構造部２３及び組立要素結合部２２は、フライホイールの周縁の周りでＵ字型の構造部（construction：構成物）を形成する。図１Ａ〜図１Ｃ及び図２〜図４に示されている実施形態では、また、図９に示されている実施形態では、フライホイールの回転軸の片側にあるフレームは、単純なブレース２３’にすぎない。
【００４２】
組立要素結合部２２は、少なくとも１つの面２２’を有しており、この面は１つ又は複数の結合手段２４を備える。
【００４３】
組立要素結合部２２は、図１〜図４、図９、及び図１５の実施形態に示されているように、組立要素結合部２２を貫通する貫通孔３２の形態の結合手段２４も備える。協働する結合手段（図示せず）は、第２の玩具組立要素４０、５０上に形成することができる。図示されているように、この貫通孔３２は、スタッド３０及び／又はスタッド受け凹部３１と組み合わせて形成することができる。他の実施形態（図示せず）では、そのような貫通孔３２は、スタッド３０及び／又はスタッド受け凹部３１が同様に形成されていなくとも組立要素結合部２２上に形成することができる。貫通孔３２の形態の結合手段２４は、フライホイール１０を有する玩具組立要素２０が第２の玩具組立要素４０に回転可能に結合されるのを可能にする。
【００４４】
接続構造部２３も１つ又は複数の結合手段３９を備えることができる。これらの結合手段３９は、結合スタッド、及び結合スタッドを受ける凹部等の相補的な結合手段の双方を含む。
【００４５】
このようにして、接続構造部２３及び／又は組立要素結合部２２、したがって、玩具組立要素２０は、相補的な結合手段を備える１つ又は複数の他の玩具組立４０、５０と相互接続することができる。
【００４６】
フライホイール１０を有する玩具組立要素２０は、フライホイール１０が回転するようにフライホイール１０を動かすように、（ラック１の形態で示されているような）アクチュエーター手段と噛み合う（歯車２１’の形態で示されているような）アクチュエーター機構２１を備える。アクチュエーター手段は、歯車１０と噛み合うことが可能であるラック１等から構成することができる。
【００４７】
図示されて示される実施形態では、組立要素２０は、フライホイール１０に機能的に接続されている少なくとも１つの歯車２１’を備える。歯車２１’及びフライホイール１０は、フライホイール２１’がフライホイール１０に運動を伝達することが可能であり、それによってフライホイール１０が自由に回転するように構造的に接続されている。
【００４８】
図１Ａ〜図１Ｃは、歯車２１’はラック１の歯（tines）５に対する（歯の形態の）相補的手段を備えることを示す。したがって、ラック１の引き運動により、その運動が歯車２１’からフライホイール１０への回転運動に変換されるのを可能にする。
【００４９】
好ましい実施形態では、玩具組立要素２０は、歯車２１’がフライホイール１０の両側に存在するように対称的に構成される。これは、玩具組立要素の一実施形態を示す図２及び図１５から明らかとなるであろう。
【００５０】
玩具組立要素２０は、組立要素結合部２２を備える。組立要素結合部２２は、１つ又は複数の結合手段２４を備える上面２２’を有する。
【００５１】
玩具組立要素２０の様々な実施形態では、この面２２’によって画定される平面は、フライホイール２０及びフライホイールの回転軸２５に対して様々な向きを有することができる。
【００５２】
図１〜図４は、組立要素結合部２２の上面２２’が接続構造部２３から延出してフライホイールの回転軸２５から離れるように延び、すなわち、この平面は、フライホイールの回転軸２５を通って延びかつフライホイールの回転軸２５を含む平面と一致する実施形態を示す。
【００５３】
図５〜図８は、組立要素結合部の面２２’がフライホイールの周縁に対する接線と平行でありかつ接続構造部に対して比較的垂直である方向に延びる実施形態を示す。
【００５４】
したがって、図１〜図４と、図５〜図８とにそれぞれ示されている２つの実施形態の組立要素結合部の面２２’によって構成される平面同士は、互いに対して直角をなす。
【００５５】
しかしながら、組立要素結合部の面２２’が広がる平面が２つの図示の例において示された平面とは異なるように向けられている、玩具組立要素の構造部を有することが可能となる。
【００５６】
図に示されているような双方の実施形態の接続構造部２３は、ラック１の歯５と歯車２１’の歯との実際の噛合いをガイドするために、接続構造部２３を横断方向に貫通した通路の形態の位置決め手段すなわちガイド２６を備える。このガイド２６は、図１〜図４及び図１５に示されているように、ラック１が接続構造部２３及び／又は組立要素結合部の面２２’に係合すると、ラック１が接続構造部２３及び／又は組立要素結合部の面２２’に対して実質的に垂直方向になるように、ラック１をガイドする孔によって形成することができる。
【００５７】
しかしながら、ガイドすなわち位置決め手段２６は、図８に示されているようなテーパー状の側面を有するカナル（canal）とすることもできる。ここで、ラック１は、接続構造部２３及び／又は組立要素結合部の面２２’に係合すると、接続構造部２３及び／又は組立要素結合部の面２２’に対して或る角度、図８に示されているように直角とは異なる角度を形成する。
【００５８】
図９、図１１〜図１３、並びに図１６及び図１７に示されている玩具組立要素２０の実施形態では、ラック１用のガイド２６が形成されており、この場合、ガイド２６は、ラック１を、接続要素２３の平面に沿って長手方向にその接続要素２３のフレーム８０に挿通するのを可能にするように構成され、この平面は、フライホイール１０の回転軸を通って延びかつこの軸を含む。それによって、これらの実施形態では、ラック１は、図１〜図４、図９、及び図１５に示されている実施形態においてラックが運ばれる方向に対して直角をなして運ばれる。
【００５９】
フライホイール１０は、１つ又は複数の作動機構２１の作動によって作動することができる。図１は、２つの歯車２１’、すなわちフライホイールの各側に１つの歯車２１’が設けられている実施形態を示す。
【００６０】
図５は、１つの歯車２１’が設けられている実施形態を示す。この実施形態では、歯車２１’は、フライホイール１０に回転抵抗式に接続されており、それによって、歯車２１’の回転力がフライホイール１０に直接伝達される。
【００６１】
したがって、フライホイール１０は、歯車２１’に回転抵抗式に、すなわち、歯車がフライホイールの一部であるように直接、又は回転軸２７を介して接続することができる。
【００６２】
示されている実施形態以外の他の方法でラック１によって作動される回転可能なフライホイール１０を構成することが可能である。
【００６３】
したがって、これらの実施形態は、単に２つの代替的な選択肢と見なすべきであり、フライホイールと作動ラックとの間の接続部をいかに構成することができるかに関して限定するものとして解釈すべきではない。
【００６４】
接続構造部２３は、図２に示されているようにフライホイールの回転軸２５の或る位置に確実に接続することができるか、又は、接続構造部２３は、図６及び図７に示されているようなフライホイールのシャフト２７に結合する１つ又は複数のシャフト結合手段２９を備えることができる。このシャフト結合手段２９は、フライホイールのシャフトの回転可能な取付け用のベアリング２９’を含む。
【００６５】
フライホイール１０は円形周縁を有するように示されているが、フライホイール１０は、上述した実施形態と組み合わせて、他の形状、例えば、楕円形周縁又は角度付き周縁を有するように構成することもできる。
【００６６】
図９は玩具組立要素２０の一実施形態を示す。この玩具組立要素は、図１〜図４に示されている玩具組立要素２０と実質的に同じである。図９では、玩具組立要素２０をシェル要素５０に結合することができることが示されている。この場合、シェル要素５０は、小型組立要素６０によって玩具組立要素２０に結合される。小型組立要素６０は、接続要素２３の貫通孔３９の形態の結合手段、及びシェル要素５０の貫通孔５４の形態の結合手段と協働する。この場合、小型組立要素６０は実質的に円筒形の構造体６３として形成される。実質的に円筒形の構造体６３は、その本質的に中央に、突出した包囲カラー６４を有する。それに応じて、両端部には、突出した包囲カラー６１が設けられている。突出した包囲カラー６１は、小型組立要素６０が例えば、接続要素２３の貫通孔３９及びシェル要素５０の貫通孔５４等の貫通孔との、取り外し可能であるが強固な係止接続部を形成することを可能にする。１つ又は複数のスロット６２が円筒形の構造体６３内に形成されている。スロット６２は、円筒形の構造体６３が、例えば、接続要素２３の貫通孔３９及びシェル要素５０の貫通孔５４等の孔の形態の別の結合手段を通過することが可能であるように弾性的に作用することができるという効果を有する。
【００６７】
代替的な実施形態（図示せず）では、シェル部品５０は、シェル部品５０及び接続要素２３上に形成される相補的な結合手段、例えば、孔及びピン、又はスタッド及びスタッド受け凹部によって接続要素２３に結合することができる。
【００６８】
図１０は、玩具組立要素２０に結合するシェル部品５０の代替的な実施形態を示す。このシェル部品５０は、結合手段５４に加えて、スタッド３０の形態の結合手段、及び例えば、Ｕ字型のクランプ結合手段（図示せず）の形態の相補的な結合手段と相互接続することができる筒形の結合部３８も有する。
【００６９】
図９及び図１０では、シェル部品５０は、中央貫通孔を有して示されている。この孔によって、歯車２１’と係合させるためにラック１をガイド２６内へ運ぶことが可能になる。
【００７０】
図１１は、そのような中央貫通孔５１が存在しない、玩具組立要素２０と相互接続するシェル部品５０の一実施形態を示す。玩具組立要素２０のこの実施形態では、ラック１をガイド２６に通す。ガイド２６において、ラックは組立要素結合部２２の表面によって形成される平面と平行に移動する。この平面は、フライホイール１０の回転軸２５に接続し、またフライホイール１０の回転軸２５を実質的に通って延びる。
【００７１】
図１１では、シェル部品５０は、図９及び図１０に示されたように接続部２３上の結合手段に結合されるのではなく、組立要素結合部２２上の結合手段２４、３３に結合される。しかしながら、更なる実施形態（図示せず）では、結合手段は、上記の実施形態において説明したように、接続構造部２３上にも設けることができる。
【００７２】
図１１では、シェル部品５０は、小型組立要素６０によって玩具組立要素２０に結合される。小型組立要素６０は、組立要素結合部２２上のｘ字型の断面を有する貫通孔３３の形態の結合手段２４、及びシェル要素５０上のｘ字型の断面を有する貫通孔５４の形態の結合手段と協働する。この場合、小型組立要素６０は、ｘ字型の断面を有する実質的に細長い構造体６６として作られる。小型組立要素６０及び結合手段３３、５４は、強固ではあるが、解除可能な相互接続を可能にする密接した摩擦係合部を形成するように構成することができるのが好ましい。
【００７３】
図１１に示されているｘ字型の相補的な結合手段６６、５４、３３は、上述した結合手段に置き換えるか又は上述した結合手段を補うことができる。
【００７４】
図１１では、組立要素結合部２２が接続構造部２３の両端部、すなわちフライホイールの両側に設けられている。双方の組立要素結合部２２では、結合手段２４は、ｘ字型の断面を有する貫通孔３３の形態で形成されている。他の実施形態では、接続構造部２３の各端部に異なるタイプの結合手段を設けることもでき、又は、幾つかの結合手段が各端部に設けられる場合、異なる組合せタイプの結合手段２４を設けることもできる。
【００７５】
図１２は、フライホイール１０及びスナップ要素８０と組み合わせて図１に示されているような玩具組立要素２０を形成する、フレーム８０及び接続構造部２３を示す。図１３は、スナップ要素８５が、フライホイールのシャフト２７を保持するようにスナップ要素８５をフレーム８０の凹部８２内に挿入することによって、玩具組立要素２０の容易な組付け方法をいかに可能にするかを示す。
【００７６】
スナップ要素８０は、ｘ字型のブロック８６を構成する。それに応じて、フレームの凹部８２は、相補的なｘ字形状を有する。ブロック８６は、シャフト２７をシャフト２７用のベアリング２９に当接させてフレーム８０内に保持するように構成されるピボット８９を有する。
【００７７】
係止突出部８８が、ピボット８９と同じ方向に延びるアーム８７に形成されている。係止突出部は、フレーム８０の凹部８２内の相補的手段（図示せず）と係止するように構成される。
【００７８】
凹部８２は、図１１及び図１２から明らかとなるように、フライホイール１０の各側でフレーム８０に形成されている。
【００７９】
図１３では、スナップ要素８０は、フレームの凹部８２内へ押し込まれていない位置で示されている。スナップ要素８０は、図１１及び図２に示されているように凹部に押し込まれると、強固に係止される。
【００８０】
図１４では、別の玩具組立要素４０が示されている。この玩具組立要素は、人型フィギュア９０の形態の更なる玩具組立要素と、フライホイール１０を有する玩具組立要素２０とを相互接続することができるように構成される。さらに、この図は、更に別のタイプの相補的な結合手段を示す。
【００８１】
玩具組立要素４０は、突出部４６を有する上側フランジ４５と、バックストップ突出部４８を有する下側フランジ４７とを有する。バックストップ突出部４８は、下側フランジ４７上で直角をなして形成されたフランジの形態である。フランジ４５、４７及び突出部４６、４８は、人型フィギュア９０の脚部９１の足型要素９２と係合することができるように構成される。足部９２の前縁部には、突出部４６に係合するように構成される突出部９４を設けることができる。ホールドバック突出部４８は、足部９２の後部側面を捉える（seizing around）ように構成される。それによって、人型フィギュアは、玩具組立要素４０上で解放可能に保持することができる。対応する結合機構を、上記の実施形態のうちのいずれかと組み合わせて、フライホイール１０を有する玩具組立要素２０との間に直接形成することができる可能性がある。
【００８２】
加えて、図１４の玩具組立要素４０は、円筒形の貫通孔４４の形態の結合手段４４を備える。それによって、図９に関連して説明したように、例えば、図１６に示されているような組立要素結合部２２の円筒形の貫通孔２４、３４との、小型組立要素６０による結合が可能になる。
【００８３】
そのような相互接続によって、人型フィギュア９０又は別の玩具組立要素４０を、フライホイール１０を有する玩具組立要素２０に回転可能に結合することができることが可能になる。寸法及び材料の適切な選択によって、結合における摩擦を調整することができ、それによって、遊ぶ子どもが、保持している２つの玩具組立要素を様々な相互位置へ操作することができるようになる。
【００８４】
図１７は、図９の小型組立要素６０と図１１の小型組立要素６０との組合せによって形成される小型組立要素６０によって、回動可能な接続をいかに達成することができるかを示す。この小型組立要素も玩具組立要素２０、４０、９０間の回動可能な接続を可能にする。
【図５】
2015514476.tif 000003
【図６】
2015514476.tif 000004
【図７】
2015514476.tif 000005
【図８】
2015514476.tif 000006
【図９】
2015514476.tif 000007
【図１１】
2015514476.tif 000008
【図１３】
2015514476.tif 000009
【図１４】
2015514476.tif 000010
【図１６】
2015514476.tif 000011
【図１７】
2015514476.tif 000012
【図１Ａ】
2015514476.tif 000013
【図１Ｂ】
2015514476.tif 000014
【図１Ｃ】
2015514476.tif 000015
【図２】
2015514476.tif 000016
【図３】
2015514476.tif 000017
【図４】
2015514476.tif 000018
【図１０】
2015514476.tif 000019
【図１２】
2015514476.tif 000020
【図１５】
2015514476.tif 000021
【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
少なくとも２つの玩具組立要素を備える玩具組立セットにおいて、該少なくとも２つの玩具組立要素のうちの１つの玩具組立要素には、第１のタイプの１つ又は複数の結合手段が設けられており、前記第２の玩具組立要素には、前記第１のタイプの結合手段に相補的であるように構成される第２のタイプの１つ又は複数の結合手段が設けられており、その結果、前記第１のタイプの結合手段及び前記第２のタイプの結合手段は相互接続されて、構造体を形成することができる、玩具組立セットであって、前記結合手段及び前記相補的に構成された結合手段は、前記第２の玩具組立要素を前記第１の玩具組立要素の２つ以上の異なる位置に取り付けることができるように構成されること、及び、前記第２の玩具組立要素（２０）は、該玩具組立要素に回転可能に取り付けられるフライホイール（１０）を備えており、該フライホイールは、該フライホイールに機能的に接続される、歯車の形態の少なくとも１つのアクチュエーター機構（２１）を備え、該歯車は、ラックの形態のアクチュエータ手段（１）と係合するための手段を備え、その結果、前記歯車がラックからフライホイールに運動を伝達することができ、それによって前記フライホイール（１０）を自由に回転させることを特徴とする、を特徴とする、玩具組立セット。
【請求項２】
１つ又は複数の玩具組立要素（２０）が、結合スタッド及び相補的な結合手段等の少なくとも２つの異なるタイプの結合手段を備えることを特徴とする、請求項１に記載の玩具組立セット。
【請求項３】
前記玩具組立要素（２０）は、接続構造部（２３）及び組立要素（２２）を備え、該接続構造部（２３）は、前記フライホイール（１０）と前記組立要素（２２）とを構造的に接続することを特徴とする、請求項１又は２に記載の玩具組立セット。
【請求項４】
前記接続構造部（２３）は、前記フライホイールの前記回転軸（２７）から前記フライホイールの前記周縁を越えて前記組立要素（２２）まで延びることを特徴とする、請求項１〜３のいずれか１項に記載の玩具組立セット。
【請求項５】
前記組立要素（２０）は面（２２）を有しており、該面は１つ又は複数の結合手段を備えることを特徴とする、請求項１〜４のいずれか１項に記載の玩具組立セット。
【請求項６】
前記組立要素の前記面（２２）の前記平面は、前記フライホイールの前記回転軸（２７）から該フライホイールの前記周縁を越える前記接続構造部の方向によって規定される方向に延びることを特徴とする、請求項１〜５のいずれか１項に記載の玩具組立セット。
【請求項７】
前記組立要素の前記面（２２）の前記平面は、前記回転可能なフライホイール（１０）の前記回転軸を通って延びる平面と平行に延びることを特徴とする、請求項１〜５のいずれか１項に記載の玩具組立セット。
【請求項８】
前記接続構造部（２３）は、ラック（１）を歯車（２１）に当接させて位置決めする位置決め手段（２６）を備えることを特徴とする、請求項１〜７のいずれか１項に記載の玩具組立セット。
【請求項９】
前記フライホイールは、２つの歯車（２６）に機能的に接続されることを特徴とする、請求項１〜８のいずれか１項に記載の玩具組立セット。
【請求項１０】
前記歯車（２１）は、フライホイール（１０）に回転抵抗式に接続され、それによって、前記歯車の回転力が前記フライホイール（１０）に伝達されることを特徴とする、請求項１〜９のいずれか１項に記載の玩具組立セット。
【請求項１１】
前記歯車（２１）及び前記フライホイール（１０）は、互いに対して確実に接続され、回動可能なシャフト上に取り付けられることを特徴とする、請求項１〜１０のいずれか１項に記載の玩具組立セット。
【請求項１２】
前記接続構造部（２３）は、前記フライホイールの前記シャフト（２７）に結合する１つ又は複数の結合手段（２９）を備えることを特徴とする、請求項１〜１１のいずれか１項に記載の玩具組立セット。
【手続補正２】
【補正対象書類名】明細書
【補正対象項目名】０００５
【補正方法】変更
【補正の内容】
【０００５】
特許文献３は、四輪車を示している。該車は、車輪に接続されている確実に一体化された大歯車（wheel：フライホイール）と、結合スタブとを有する。
特許文献４は、組立ブロックに装着されたフライホイールを備えた玩具組立要素を具備する玩具組立セットを開示する。
【手続補正３】
【補正対象書類名】明細書
【補正対象項目名】０００７
【補正方法】変更
【補正の内容】
【０００７】
【特許文献１】米国特許参照番号第３０２９９号
【特許文献２】米国特許第６６７６４７６号
【特許文献３】米国特許出願公開第２００５／０２１５１７２号
【特許文献４】国際公開  ＷＯ００／４１７９０
【国際調査報告】
2015514476.tif 000022
2015514476.tif 000023
2015514476.tif 000024